(57)【要約】      （修正有）【課題】シラス土や珪藻土などの定形性を有しない化粧材にも適用でき、作業性に優れ、水気がある場所にも設置可能なパネル材及び壁パネルを提供する。【解決手段】パネル材１０を、有底枠体１と、この枠体１の外底面上に設けられた樹脂層２と、枠体１の底部又は樹脂層２に埋設された１又は２以上の焼結磁石３とを備え、焼結磁石３の磁力により壁面に吸着する構成とし、このパネル材１０の有底枠体１内に、シラス土や珪藻土などの定形性を有しない化粧材を流し込んで固めたり、或いは、タイルなどの定形性を有する化粧材を接着剤などで固定したりして、壁パネルとする。【選択図】図１
0003216877.tif 000002
【実用新案登録請求の範囲】
【請求項１】
有底枠体と、
前記枠体の外底面上に設けられた樹脂層と、
前記枠体の底部又は前記樹脂層に埋設された１又は２以上の焼結磁石と
を有し、
前記焼結磁石の磁力により壁面に吸着するパネル材。
【請求項２】
前記枠体の側壁は、底部から離れるに従い厚さが薄くなるテーパ形状となっている請求項１に記載のパネル材。
【請求項３】
前記枠体の外側面上にも樹脂層が設けられている請求項１又は２に記載のパネル材。
【請求項４】
前記枠体は樹脂により形成されている請求項１〜３のいずれか１項に記載のパネル材。
【請求項５】
請求項１〜４のいずれか１項に記載のパネル材と、
前記パネル材の枠体内に固定された化粧材と
を有する壁パネル。
【考案の詳細な説明】
【技術分野】
【０００１】
本考案は、壁面に取り付けられる壁パネル用のパネル材及びこのパネル材を用いた壁パネルに関する。
【背景技術】
【０００２】
従来、磁力を利用して、壁面にタイルなどの化粧材を取り付ける方法が提案されている（特許文献１，２参照）。例えば、特許文献１に記載のタイルユニットは、樹脂ネットを介して複数個のタイルがマグネットシートに接着固定されている。このタイルユニットは、複数個のタイルを一括して壁面に取り付けることが可能である。
【０００３】
また、特許文献２に記載の壁パネルは、採石や玉砂利などの天然石を接着用樹脂で固めた化粧材層が、ベース板を構成するマグネットシートに接合されている。この壁面パネルは、マグネットシートの磁力により、例えば鉄粉などの微粒子が配合された塗料が塗布された壁面に取り付けられる。
【先行技術文献】
【特許文献】
【０００４】
【特許文献１】実用新案登録第３２１１００８号公報
【特許文献２】実用新案登録第３２１１４６７号公報
【考案の概要】
【考案が解決しようとする課題】
【０００５】
壁パネルを磁力により壁面に固定する方法は、接着剤などを用いて固定する方法よりも設置や交換が容易になるが、前述した特許文献１，２に記載の構成は、石やタイルなどの定形性を有する化粧材にしか適用できないという課題がある。近年、空気中の水分、臭気及び有害物質などを吸着するなどの理由から、内装材としてシラス土や珪藻土などが注目されている。しかしながら、特許文献１，２に記載の壁パネルでは、定形性を有しない化粧材を用いることは難しい。
【０００６】
また、特許文献１，２に記載の壁パネルは、浴室、洗面所及びキッチンなどのように水を使用する場所や外壁などのように風雨に晒される場所に用いると、時間の経過と共にマグネットシートに配合された鉄粉などの磁性材料が錆びて磁力が低下し、壁面から脱離する虞がある。このように、マグネットシートを用いた従来の壁パネルは、施工可能な場所が限られるという課題もある。
【０００７】
そこで、本考案は、シラス土や珪藻土などの定形性を有しない化粧材にも適用でき、作業性に優れ、水気がある場所にも設置可能なパネル材及び壁パネルを提供することを目的とする。
【課題を解決するための手段】
【０００８】
本考案に係るパネル材は、有底枠体と、前記枠体の外底面上に設けられた樹脂層と、前記枠体の底部又は前記樹脂層に埋設された１又は２以上の焼結磁石と、を有し、前記焼結磁石の磁力により壁面に吸着する。
前記枠体の側壁は、例えば底部から離れるに従い厚さが薄くなるテーパ形状とすることができる。
本考案のパネル材は、前記枠体の外側面上にも樹脂層が設けられていてもよい。
また、前記枠体は、例えば樹脂により形成することができる。
【０００９】
本考案に係る壁パネルは、前述したパネル材と、前記パネル材の枠体内に固定された化粧材とを有するものである。
【考案の効果】
【００１０】
本考案によれば、化粧材は有底枠内に固定されるため、定形性を有しない化粧材も使用でき、また、壁面に磁着するための焼結磁石が枠体底部又は枠体の外底面上に設けられた樹脂層に埋設されているため、作業性及び防水性に優れ、屋内外を問わず、水気がある場所にも設置することが可能な壁パネルを実現することができる。
【図面の簡単な説明】
【００１１】
【図１】Ａは本考案の第１の実施形態のパネル材の構成を示す平面図であり、Ｂはそのｘ−ｘ線による断面図である。
【図２】Ａ及びＢは図１に示すパネル材１０を用いた壁パネルの構成例を示す断面図である。
【図３】図２Ａに示す壁パネル２０を壁に取り付けた状態を示す平面図である。
【図４】図２Ａに示す壁パネル２０を壁に取り付けた状態を示す断面図である。
【図５】本考案の第１の実施形態の変形例のパネル材の構成を示す断面図である。
【図６】本考案の第２の実施形態のパネル材の構成を示す断面図である。
【考案を実施するための形態】
【００１２】
以下、本考案を実施するための形態について、添付の図面を参照して、詳細に説明する。なお、本考案は、以下に説明する実施形態に限定されるものではない。
【００１３】
（第１の実施形態）
先ず、本考案の第１の実施形態に係るパネル材について説明する。図１Ａは本実施形態のパネル材の構成を示す平面図であり、図１Ｂは図１Ａに示すｘ−ｘ線による断面図である。図１Ａ，Ｂに示すように、本実施形態のパネル材１０は、有底枠体１の外面を覆うように樹脂層２が形成されており、パネル底部に設けられた樹脂層２には、１又は複数個の焼結磁石３が埋設されている。
【００１４】
［枠体１］
枠体１は、例えば平面視矩形状の有底枠体であり、底板と、その周縁に突設された側壁で構成される。側壁と底板のなす角度は、９０°以上１８０°未満の範囲で適宜設定することができるが、１２０°〜１５０°の範囲にすることが好ましい。このように、枠体１を、側壁に角度をつけ、底面よりも開口面の方が面積が広く、側面視で逆台形状とすることで、壁パネルとしたときにデザインに対する枠体１の影響が少なくなると共に、隣接配置されたパネル間に適度な隙間ができるため、サイズ変動などの影響を吸収することができる。
【００１５】
また、壁パネルとしたときのデザインへの影響を考慮すると、枠体１の側壁は、底部から離れるに従い厚さが薄くなるテーパ形状とすることが好ましい。これにより、枠体としての強度を確保しつつ、壁デザインへの影響を最小限に抑えることができる。なお、枠体１の側壁の高さは、特に限定されるものではなく、化粧材を収容可能な厚さであればよく、例えば化粧材がタイルなどの有形材料である場合、枠体１から側壁をなくし、底板のみで構成することもできる。
【００１６】
前述した有底枠体１は、例えばポリエチレン、ポリプロピレン及びアクリルなどの熱可塑性樹脂の他、繊維強化樹脂や難燃性樹脂など機能性樹脂などで形成することができる。また、枠体１は、金属材料や木材で形成してもよい。
【００１７】
［樹脂層２］
樹脂層２は、枠体１の外底面及び外側面上に形成されている。樹脂層２の厚さは特に限定されるものではなく、焼結磁石３が露出しない程度の厚さであればよい。また、樹脂層２を形成する樹脂の種類も特に限定されるものではないが、壁面との密着性の観点から、柔軟で、弾性を有する樹脂を用いることが好ましく、例えばウレタン樹脂やシリコーン樹脂などを用いることができる。
【００１８】
［焼結磁石３］
焼結磁石３は、磁力により壁面に吸着して、壁パネルを壁面に固定するものであり、樹脂層２に埋設されている。焼結磁石３としては、例えばネオジウム磁石を用いることができるが、これに限定されるものではなく、パネル材１０を壁面に固定可能な磁力を有するものであればよい。なお、図１Ａ，Ｂには、パネル材１０の底部の中央部と各角部に円柱状の焼結磁石３を配置した例を示しているが、本考案はこれに限定されるものではなく、焼結磁石３の数や位置は、壁パネルの重量や焼結磁石３の磁力に応じて適宜設定することができる。
【００１９】
［使用方法］
次に、本実施形態のパネル材の使用方法について説明する。図２Ａ，Ｂは図１に示すパネル材１０を用いた壁パネルの構成例を示す断面図である。図２Ａ，Ｂに示すように、本実施形態のパネル材１０は、枠体１内に化粧材４が固定されて壁パネルとして使用される。その際、図２Ａに示す壁パネル２０ように、化粧材４の表面がパネル材１０の枠体１と面一になるようにしてもよいが、図２Ｂに示す壁パネル２１のように、化粧材４で枠体１の側壁先端を覆ってもよい。これにより、枠体１のデザインへの影響をなくすことができる。
【００２０】
本実施形態のパネル材１０に固定される化粧材４としては、石、タイル、ガラス、瓦、木、竹、布、樹脂フォームなどの定形性を有するものの他、シラス土や珪藻土などの定形性を有しないものを用いることができる。定形性を有する化粧材４は、例えば枠体１に嵌め込む或いは接着剤などを用いて接着することにより固定することができる。また、定形性を有しない化粧材４は、例えば枠体１内に流し込み、固めることにより固定することができる。
【００２１】
化粧材４には、例えば布とウレタン樹脂フォームなどのように複数の材料を組み合わせて用いてもよい。また、化粧材４は、定形性を有するものと、定形性を有しないものの両方を組み合わせて用いることも可能である。
【００２２】
図３は図２Ａに示す壁パネル２０を壁に取り付けた状態を示す図であり、図４はその断面図である。図３及び図４に示すように、パネル材１０に化粧材４を固定して構成される壁パネル２０は、例えば建物の壁面上に並べて配置される。ここで、壁パネル２０が設置される壁５には、鉄板６又は鋼板が貼り付けられているか、表面に鉄粉又は鉄合金粉を含有する鉄粉含有塗料層が形成されている。そして、この鉄板６などと焼結磁石３との間に作用する磁力により、壁パネル２０が壁５に固定される。なお、前述した壁面への取り付け方法などは、壁パネル２１を用いた場合も同様である。
【００２３】
以上詳述したように、本実施形態のパネル材は、定形性を有する化粧材も定形性を有しない化粧材にも用いることができるため、従来の壁パネル構造に比べて、適用できる化粧材の幅を広げることができる。本実施形態のパネル材を用いて形成された壁パネルは、焼結磁石の磁力により壁面に固定するため、任意のタイミングで脱着することができる。これにより、例えば、季節の変化や好みに応じて、趣の異なる壁パネルに交換することもできる。
【００２４】
また、本実施形態のパネル材は、焼結磁石が樹脂層に埋設されているため、防水性に優れる。その結果、マグネットシートを用いたものでは適用できなかった浴室や台所など水気のある場所や外壁にも適用することが可能となる。また、焼結磁石を用いることにより、マグネットシートを用いたものよりも軽量化することができるため、壁への負荷を軽減し、壁から脱落しにくくすることができる。
【００２５】
本実施形態のパネル材を用いて壁パネルを形成する際に、有害物質を吸着するシラス土や珪藻土を用いれば、シックハウスやアレルギーへの対策も可能となる。また、土由来の化粧材を用いることで、帯電しないことによる汚れ付着防止、消臭作用、調湿などの効果も期待できる。更に、ウレタンフォームなどの吸音性のある素材に布を巻いて化粧材とすれば、防音効果が得られる。
【００２６】
（第１の実施形態の変形例）
次に、本考案の第１の実施形態の変形例に係るパネル材について説明する。図５は本変形例のパネル材の構成を示す断面図である。なお、図５においては、図１に示すパネル材１０の構成要素と同じものには同じ符号を付し、詳細な説明は省略する。
【００２７】
図１に示す第１の実施形態のパネル材１０は、樹脂層２が枠体１の外表面を覆うように形成されているが、本考案はこれに限定されるものではなく、図５に示すパネル材３０のように、樹脂層２は少なくとも枠体２の外底面上に形成されていればよい。
【００２８】
本変形例のパネル材も、焼結磁石が樹脂層に埋設されているため、前述した第１の実施形態のパネル材と同様に防水性に優れる。このため、本変形例のパネル材を用いた壁パネルは、従来適用することができなかった水回り周辺や屋外の壁にも施工することが可能である。なお、本変形例における上記以外の構成及び効果は、前述した第１の実施形態と同様である。
【００２９】
（第２の実施形態）
次に、本考案の第２の実施形態に係るパネル材について説明する。前述した第１の実施形態及びその変形例のパネル材は、焼結磁石を樹脂層に埋設しているが、本考案はこれに限定されるものではなく、焼結磁石を枠体に埋設してもよい。図６は実施形態のパネル材の構成を示す断面図である。なお、図６においては、図１に示すパネル材１０、図５に示すパネル材３０の構成要素と同じものには同じ符号を付し、詳細な説明は省略する。
【００３０】
図６に示すように、本実施形態のパネル材４０は、枠体１１の底板に焼結磁石を収容可能な凹部が形成されており、この凹部に焼結磁石６が収容されている。そして、枠体１１の底部には、凹部の開口を覆うように樹脂層１２が形成されている。本実施形態のパネル材４０も、枠体１１内に化粧材が固定されて壁パネルとして使用される。
【００３１】
本実施形態のパネル材は、焼結磁石が枠体底部に埋設され、樹脂層により焼結磁石が露出しないように封止されているため、前述した第１の実施形態のパネル材と同様に防水性に優れる。その結果、本実施形態のパネル材を用いた壁パネルは、浴室、洗面所及び台所などのように屋内で水気のある場所や外壁などのように屋外の壁にも適用することが可能となる。なお、本実施形態における上記以外の構成及び効果は、前述した第１の実施形態と同様である。
【符号の説明】
【００３２】
１、１１  枠体
２、１２  樹脂層
３  焼結磁石
４  化粧材
５  壁
６  鉄板
１０、３０、４０  パネル材
２０、２１  壁パネル
【図１】
0003216877.tif 000003
【図２】
0003216877.tif 000004
【図３】
0003216877.tif 000005
【図４】
0003216877.tif 000006
【図５】
0003216877.tif 000007
【図６】
0003216877.tif 000008